(57)【要約】【課題】  テレビジョンモニター等複数の入力端子を備えたＡＶ機器に於いて、リモコンや装置本体に配置された入力切替ＳＷ操作により所定の順番にて外部信号が入力されている入力端子を選んで切り替えていく際、入力端子には同期信号が供給されていないときには、スキップされてしまう。【解決手段】  通常の入力切替操作時には入力検知手段が無信号と判断した各外部入力端子は選択せずにスキップするものの、第１の入力切替操作直後に第２の入力切替操作を行った場合、或いはその逆に第２の入力切替操作直後に第１の入力切替操作を行った場合には、入力検知手段の判断に関わらず全ての各外部入力端子を順次選択して行く。【選択図】  図１
2005218002.tif 000002
【特許請求の範囲】
【請求項１】
複数の画像入力手段と、
画像入力手段から入力された画像の中から１つを選択する入力選択手段と、
入力選択手段に於ける選択を所定の順序にて１つずつ切り替えさせる第一の操作手段と、
所定の順序とは逆方向に１つずつ切り替えさせる第二の操作手段と、
各画像入力手段に信号が入力されている事を検知する入力検知手段、とを具備し、
第一若しくは第二の操作手段がなされた時、入力検知手段にて無入力と判断した場合はその入力手段をスキップするが、第一に連続して第二、或いは第二に連続して第一の操作手段が成された場合には入力検知手段の判定に関わらず何れの入力手段もスキップしない事を特徴とした外部入力切り替え方法。
【請求項２】
複数の画像入力手段と、
画像入力手段から入力された画像の中から１つを選択する入力選択手段と、
入力選択手段に於ける選択を所定の順序にて１つずつ切り替えさせる第一の操作手段と、
所定の順序とは逆方向に１つずつ切り替えさせる第二の操作手段と、
各画像入力手段に信号が入力されている事を検知する入力検知手段、とを具備し、
第一若しくは第二の操作手段が連続して押し続けられた時、入力検知手段にて無入力と判断した場合はその入力手段をスキップするが、一旦操作を取り止めた後所定の時間内に再度第一若しくは第二の操作手段が操作された場合には入力検知手段の判定に関わらず何れの入力手段もスキップしない事を特徴とした外部入力切り替え方法。
【請求項３】
複数の画像入力手段と、
画像入力手段から入力された画像の中から１つを選択する入力選択手段と、
入力選択手段に於ける選択を所定の順序にて１つずつ切り替えさせる第一の操作手段と、
所定の順序とは逆方向に１つずつ切り替えさせる第二の操作手段と、
各画像入力手段に信号が入力されている事を検知する入力検知手段、とを具備し、
第一の操作手段がなされた際に入力検知手段にて無入力と判断した場合はその入力手段をスキップするが、第二の操作手段が成された場合には入力検知手段の判定に関わらず何れの入力手段もスキップしない事を特徴とした外部入力切り替え方法。
【請求項４】
他の機器が接続されていない画像入力手段に対しては如何なる時もスキップする事を特徴とした請求項１〜３のいずれかに１項記載の外部入力切り替え方法。
【請求項５】
他の機器が接続されていない画像入力手段を使用者が設定し、この設定に基づいて他の機器が接続されていない他の機器が接続されていないと判断する事を特徴とした請求項４記載の外部入力切り替え方法。
【請求項６】
画像入力手段毎に他の機器が接続されている事を検知する接続検知手段を具備し、接続検知手段の判定結果により他の機器が接続されていないと判断する事を特徴とした請求項４記載の外部入力切り替え方法。
【発明の詳細な説明】
【技術分野】
【０００１】
本発明は、ＡＶ機器の外部入力切替制御に関するものである。
【背景技術】
【０００２】
外部入力端子を備えたテレビジョンモニターや、ビデオデッキ、ＤＶＤレコーダには複数の入力端子を備え、リモコンや装置本体に配置された入力切替ＳＷ操作により、所定の順番にて入力端子を切り替えていくものが有る。近年、ＴＶ放送の高精細化や様々なＡＶ機器の登場により、テレビジョンモニターや、ビデオデッキ、ＤＶＤレコーダ等が具備する外部入力端子数も増加して来た。この様に外部入力端子数が増加して来ると、所定の順番にて入力端子を切り替えていく方式では所望の外部入力端子を選択した状態にたどり着くまでに入力切替ＳＷ操作を幾度となく行わなければならず、操作がわずらわしいだけで無く、瞬時に所望の外部入力端子を選択出来ないと言った問題が発生して来た。
【０００３】
これに対応するため、例えば下記特許文献では各外部入力端子からの同期信号の有無を検知し、同期信号が入力されていない場合には、入力切替ＳＷ操作に対しこれをスキップすると言うものがある。
【特許文献１】特開平０５−２０７３８６号公報
【発明の開示】
【発明が解決しようとする課題】
【０００４】
しかしながら以下の様なケースでは、同期信号が無い場合でもスキップして欲しくない。
【０００５】
第１のケースとして、例えば再生開始操作をしていないＡＶ機器をＴＶモニター側で選択してからＡＶ機器の再生開始を行いたい場合や、電源投入から信号出力まで時間のかかるＡＶ機器を選択したい場合。
【０００６】
第２のケースとして、例えば外部接続された専用チューナーに対しペイパービューと呼ばれる様な課金される放送番組の視聴予約操作を行い、その放送が開始されるのを待って居る間等である。何れの場合も、入力端子には同期信号が供給されていないが、スキップせずに選択したい。
【課題を解決するための手段】
【０００７】
本発明は、複数の外部入力端子からの信号の内いずれか１つを選択する入力選択手段と、或る一定の方向に順次切り替えて行く第１の入力切替操作手段と、第１の入力切替操作手段とは逆方向に順次切り替えて行く第２の入力切替操作手段と、各外部入力端子毎に入力信号の有無を検知する入力検知手段とを具備し、通常の入力切替操作時には入力検知手段が無信号と判断した各外部入力端子は選択せずにスキップするものの、第１の入力切替操作直後に第２の入力切替操作を行った場合、或いはその逆に第２の入力切替操作直後に第１の入力切替操作を行った場合には、入力検知手段の判断に関わらず全ての各外部入力端子を順次選択して行く様にしたものである。
【発明の効果】
【０００８】
本発明は、複数の外部入力端子からの信号の内いずれか１つを選択する入力選択手段と、或る一定の方向に順次切り替えて行く第１の入力切替操作手段と、第１の入力切替操作手段とは逆方向に順次切り替えて行く第２の入力切替操作手段と、各外部入力端子毎に入力信号の有無を検知する入力検知手段とを具備し、通常の入力切替操作時には入力検知手段が無信号と判断した各外部入力端子は選択せずにスキップするものの、第１の入力切替操作直後に第２の入力切替操作を行った場合、或いはその逆に第２の入力切替操作直後に第１の入力切替操作を行った場合には、入力検知手段の判断に関わらず全ての各外部入力端子を順次選択して行く様にする事により、
入力信号が無い外部入力端子はスキップさせ多くの外部入力端子の中から素早く目的とする外部入力端子を選択出来る機能を残しつつ、スキップしてしまった外部入力端子も短銃かつ素早い操作にて選択する事が出来る。
【発明を実施するための最良の形態】
【０００９】
(第１の実施例)
図１は第１の実施例に於ける、入力切替操作時の選択順の例を表したものである。
【００１０】
この例では外部入力端子として、ＬＩＮＥ−１〜４、Ｄ端子−１〜３、コンポーネントの、計８系統がある。そして各外部入力端子名称の末尾に示されている、○と×の記号であるが、○は信号が入力されている状態を、×は信号が入力されていない状態をあらわしており、この場合、ＬＩＮＥ−１、  ＬＩＮＥ−２、  Ｄ端子−１、の３つにのみ、信号が入力されている。
【００１１】
ここでもし、ＬＩＮＥ−１が選択されている状態で第１の入力切替操作手段の操作がなされた場合、信号が入力された外部入力端子のみを選びながら、実線矢印１０１、１０２、１０３の経路をたどりＬＩＮＥ−１  ⇒  ＬＩＮＥ−２、  ⇒  Ｄ端子−１  ⇒  ＬＩＮＥ−１の順番で右周りに切り替わって行く。一方、ＬＩＮＥ−１が選択されている状態で第１の入力切替操作手段の操作が２回なされ「Ｄ端子−１」に切り替えられた直後に第２の入力切替操作手段の操作がなされたとすると、今度は破線矢印１１３、１１４、１１５の経路をたどり、信号の有無に関わらず左回りに順次切り替えて行く。
【００１２】
そしてこの状態で更に続けて第１の入力切替操作手段の操作がなされた場合は、細線矢印１２６、１２７の経路で、やはり信号の有無に関わらず右回りに順次切り替えて行く。
【００１３】
さて、図２はこの様な外部入力切り替え方式を実現する回路ブロック例であり、同図中、１は第１の入力切替操作手段、２は第２の入力切替操作手段、３は外部入力切替制御を行うＣＰＵ、４はＣＰＵ用のメモリー、５は入力選択手段としてのセレクター、１０、２０、３０、…  ８０は、それぞれ第１、第２、第３、…  第８の外部入力端子。１１、２１、３１、…  ８１は、それぞれ第１、第２、第３、…  第８の外部入力端子用入力検知手段、である。
【００１４】
各外部入力端子１０、２０、３０、…  ８０に入力された信号は、各入力検知手段１１、２１、３１、…  ８１に導かれるとともにセレクター５に供給される。各入力検知手段１１、２１、３１、…  ８１はそれぞれの外部入力端子に信号が入力されているか否かを常に判定し、ＣＰＵ３の求めに応じてこれを伝える。図３は入力検知手段の一例であり、同期分離回路ブロック２０２にて同期信号を抜き出し、抵抗２０３とコンデンサ２０５から成る積分回路にて構成されている。
【００１５】
ＣＰＵ３は絶えずこの各入力検知手段１１、２１、３１、…  ８１からの情報を監視しその状況をメモリ４に記憶するとともに、２つの操作ＳＷ１、２の操作がなされた場合には、その情報を元に選択すべき外部入力端子を決定しセレクター５を駆動する。そしてセレクター５にて選択されたいずれか１つの入力信号が不図示の後段回路ブロックに出力される。
【００１６】
この時、ＣＰＵ３にて成される処理をフローチャートとして表したものが図４である。
【００１７】
ステップ３０１からスタートし、ステップ３０２にて、各外部入力端子に信号が供給されているか否かの情報を各入力検知手段１１、２１、３１、…  ８１から受け取り、次ステップ３０３にてその状況をメモリー４に記憶する。そして次にステップ３０４、３０５にてＳＷ１、２の操作がなされたか否かを調べ、何ら操作が成されなかった場合にはステップ３０６にて後述のＳＷフラグを取り消した上でステップ３０７にて１００ｍＳｅｃ．待ち、ステップ３０２に戻る。ステップ３０６にて取り消すＳＷフラグとは、ＳＷ１、２の操作履歴を表す１ｂｉｔのフラグである。
【００１８】
さて、もしＳＷ１が操作されていた場合にはステップ３０４からステップ３１１に進み、ここでＳＷフラグ１を立てる。これはＳＷ１が操作された事を覚えておく為のものである。そして次ステップ３１２にてＳＷフラグ２をチェックする。もしここでＳＷフラグ２が立っていなければ、「１回目の操作」と判断し、ステップ３１２にてメモリ４に記憶してある信号入力状況を読み出し、ステップ３１４にて次に選択すべき外部入力端子を決定しセレクタ５に指示を出す。反対にステップにて３１２  ＳＷフラグ２が立っていた場合には「２回目以降の操作」（もう一方のＳＷ２が操作された直後）と判断し、ステップ３１５にて信号入力状況に関わらず次の外部入力端子を選択すべく、セレクタ５に指示を出す。何れの場合もセレクタ５に指示を出した後は、ＳＷ操作が無かった時と同様ステップ３０７にて１００ｍＳｅｃ．待ち、ステップ３０２に戻る。
【００１９】
ＳＷ２が操作されていた場合にはステップ３０５からステップ３２１に進み、ＳＷ１が操作された時のステップ３１１〜３１５と同等の処理をステップ３２１〜３２５にて行う。ＳＷ１の際との相違点は、ステップ３２１にて立てるフラグがＳＷフラグ１では無くてＳＷフラグ２である点、ステップ３２２にてチェックするフラグがＳＷフラグ２では無くてＳＷフラグ１である点、そしてステップ３２５にて選択する次の外部入力端子はステップ３１５で行うそれとは反対の順番で或る点の３つである。
【００２０】
尚、図４に示したフローチャートは概念を説明する為に作成されたものであり、実際には様々なアレンジが必要である。例えばステップ３０４、３０５にてＳＷ１、ＳＷ２の操作をチェックするが、チャタリングを除去する何らかの手段が必要である事は言うまでも無い。
【００２１】
又、このＳＷ１、ＳＷ２は、機器本体に配置されたものには限定されず、例えば赤外線リモコンからの操作に対応する場合にはそれに応じたアレンジがあり得る。
【００２２】
そしてステップ３０７での待ち時間も１００ｍＳｅｃに限定されるものでは無く、更には１回のループが所定の値と成る様、タイマーを用いても本発明の趣旨には何ら変わりは無い。
【００２３】
又、図２に示した回路ブロック図では、外部入力端子１０、２０、３０、…  ８０とこれに対応する入力検知手段１１、２１、３１、…  ８１は８組あるが、特に８組に限定されるものでは無い事は言うまでも無く、更に外部入力端子１０、２０、３０、…  ８０が受け取る信号はアナログ信号に限定されるものでは無く、例えばＤＶＩ端子の様にデジタル信号として受けるもの、或るいは、アナログ信号とデジタル信号が混在するシステムであっても良い。
【００２４】
(第２の実施例)
図５は第２の実施例に於ける回路ブロック図であり、第１の実施例と同等の機能を有するブロックには同一の番号が割り当てられている。９１は第１の実施例の場合の入力検知手段１１、２１、３１、…  ８１とほぼ同等の入力検知手段であり、９５はセレクター５とほぼ同等の第２のセレクターである。
【００２５】
この実施例では第１の実施例の場合の様に入力検知手段を各外部入力端子毎に用意するのでは無く、第２のセレクター９５にて１つの入力検知手段９１への入力を逐一切り替える用にしたものである。
【００２６】
この場合、ＣＰＵ３での処理方法は第１の実施例のそれと異なる事は言うまでも無いが、その結果得られる操作感は図１を用いて説明したものと同等の機能が可能である。
【００２７】
(その他の実施例)
図６及び７はその他の実施例の場合に於ける操作感を表したものであり、何れも第１若しくは第２の実施例に用いた回路ブロック構成を用いる。
【００２８】
例えば図６の場合、ａがＳＷ１による操作への対応、ｂがＳＷ１による操作への対応を表す。
【００２９】
ＳＷ１による操作に対しては順方向へ切り替えて行き常に無入力の外部入力端子はスキップして行く。一方、ＳＷ２による操作に対しては逆方向へ切り替えて行き入力の有無に関わらず全ての外部入力を選択する。
【００３０】
或いは操作ＳＷは１つだけとし、通常の操作ではａの様に無入力の外部入力端子はスキップするが、ＰＣ用マウスのダブルクリックの様に短時間に２回操作された時はｂの様に入力の有無に関わらず全ての外部入力を選択する方法も考えられる。
【００３１】
又、図７に示す方法の場合、あらかじめスキップさせる外部入力端子をユーザーが設定出来るようにする。つまり、何も接続されていない外部入力端子をユーザーがスキップさせる様に設定する。図７に於いて、各外部入力端子名称の末尾に示されている、○と×、△の記号であるが、○は第１の実施例同様入力信号が供給されている状態を、×はユーザーがあらかじめ設定したスキップさせる（未使用の）外部入力端子を、そして△は未使用設定はしていないが、入力信号が無い状態を表す。
【００３２】
実線矢印１０１〜１０３は、第１の実施例同様、その直前に何ら操作されていない状態でＳＷ１が操作された場合の選択順を表しており、信号が入力されている外部入力端子のみを順方向に切り替えて行く。そしてＳＷ１操作に続けてＳＷ２を操作した場合を点線矢印にて表している。この時は入力信号の有無に関わらず逆方向に順次切り替えていくが、×印を付加した外部入力端子、すなわちユーザーが設定した未使用外部入力端子はスキップする。
【００３３】
尚、この場合、スキップさせる未使用外部入力端子はユーザーが設定するのでは無く、メカ的な接続を検知する手段を設けて、自動的にスキップする方法も考えられる。
【図面の簡単な説明】
【００３４】
【図１】入力切替操作時の選択動作概念図
【図２】第１の実施例による回路ブロック図
【図３】入力検知手段の回路ブロック図
【図４】フローチャート
【図５】第２の実施例による回路ブロック図
【図６】その他の実施例による入力切替操作時の選択動作概念図
【図７】その他の実施例による入力切替操作時の選択動作概念図
【符号の説明】
【００３５】
１  第１の操作ＳＷ
２  第２の操作ＳＷ
３  ＣＰＵ
４  ＣＰＵ用メモリー
５  入力選択手段としてのセレクター
１０、２０、３０、４０、５０、６０、７０、８０  外部入力端子
１１、２１、３１、４１、５１、６１、７１、８１、９１  各入力検知手段
【図１】
2005218002.tif 000003
【図２】
2005218002.tif 000004
【図３】
2005218002.tif 000005
【図４】
2005218002.tif 000006
【図５】
2005218002.tif 000007
【図６】
2005218002.tif 000008
【図７】
2005218002.tif 000009